(57)【要約】【課題】表示装置における階調特性の形状を、より正確に把握できるようにする。【解決手段】試験画像データ作成部２１は、値が異なる第１基準階調値および第２基準階調値を設定する基準階調値設定部２１１と、第１基準階調値に基づいて設定される第１比較階調値および第２基準階調値に基づいて設定される第２比較階調値を設定する比較階調値設定部２１２と、第１基準階調値に設定された第１背景画像および第１比較階調値に設定された第１前景画像とを重ねて配置した第１試験画像を生成し、第２基準階調値に設定された第２背景画像および第２比較階調値に設定された第２前景画像とを重ねて配置した第２試験画像を生成する試験画像生成部２１５とを備え、試験画像生成部２１５は、第１試験画像および第２試験画像を含む試験画像を作成する。【選択図】図３
2014220556.tif 000002
【特許請求の範囲】
【請求項１】
第１基準となる第１基準階調値と、第２基準となり且つ当該第１基準階調値とは階調が異なる第２基準階調値とを設定する基準設定手段と、
前記第１基準階調値に基づいて設定され且つ当該第１基準階調値の比較対象となる第１比較階調値と、前記第２基準階調値に基づいて設定され且つ当該第２基準階調値の比較対象となる第２比較階調値とを設定する比較設定手段と、
前記第１基準階調値に設定された第１基準画像および前記第１比較階調値に設定された第１比較画像を並べて配置した第１画像と、前記第２基準階調値に設定された第２基準画像および前記第２比較階調値に設定された第２比較画像を並べて配置した第２画像とを作成する作成手段と
を含む画像処理装置。
【請求項２】
前記比較設定手段は、前記第１比較階調値として複数の値を設定するとともに、前記第２比較階調値として複数の値を設定し、
前記作成手段は、前記第１画像として、前記第１基準画像と、前記第１比較階調値のそれぞれの値に設定されることで階調を異ならせた複数の前記第１比較画像とを並べて当該第１画像を作成するとともに、前記第２画像として、前記第２基準画像と、前記第２比較階調値のそれぞれの値に設定されることで階調を異ならせた複数の前記第２比較画像とを並べて当該第２画像を作成すること
を特徴とする請求項１記載の画像処理装置。
【請求項３】
前記比較設定手段は、前記第１比較階調値として複数の値を設定する場合に、当該第１比較階調値を構成する複数の値のすべてを前記第１基準階調値よりも大きくまたは小さく設定し、前記第２比較階調値として複数の値を設定する場合に、当該第２比較階調値を構成する複数の値の全てを前記第２基準階調値よりも大きくまたは小さく設定すること
を特徴とする請求項２記載の画像処理装置。
【請求項４】
前記作成手段は、前記第１画像と前記第２画像とを並べて配置することを特徴とする請求項１乃至３のいずれか１項記載の画像処理装置。
【請求項５】
前記基準設定手段は、前記第１基準階調値を全階調の半分を超える階調値に設定し、前記第２基準階調値を当該全階調の半分未満となる階調値に設定すること
を特徴とする請求項１乃至４のいずれか１項記載の画像処理装置。
【請求項６】
第１基準となる第１基準階調値と、第２基準となり且つ当該第１基準階調値とは階調が異なる第２基準階調値とを設定するステップと、
前記第１基準階調値に基づいて設定され且つ当該第１基準階調値の比較対象となる第１比較階調値と、前記第２基準階調値に基づいて設定され且つ当該第２基準階調値の比較対象となる第２比較階調値とを設定するステップと、
前記第１基準階調値に設定された第１基準画像および前記第１比較階調値に設定された第１比較画像を並べて配置した第１画像と、前記第２基準階調値に設定された第２基準画像および前記第２比較階調値に設定された第２比較画像を並べて配置した第２画像とを作成するステップと
を含む画像処理方法。
【請求項７】
前記第１画像および前記第２画像を作成するステップの後、当該第１画像および当該第２画像を表示装置に表示させるステップと、
前記表示装置に表示された前記第１画像において、前記第１基準画像と前記第１比較画像との識別が目視にて可能であったか否かを受け付けるとともに、当該表示装置に表示された前記第２画像において、前記第２基準画像と前記第２比較画像との識別が目視にて可能であったか否かを受け付けるステップと、
前記第１画像における識別結果と前記第２画像における識別結果とに基づいて、前記表示装置における階調形状を特定するステップと
をさらに含むことを特徴とする請求項６記載の画像処理方法。
【請求項８】
コンピュータに、
第１基準となる第１基準階調値と、第２基準となり且つ当該第１基準階調値とは階調が異なる第２基準階調値とを設定する機能と、
前記第１基準階調値に基づいて設定され且つ当該第１基準階調値の比較対象となる第１比較階調値と、前記第２基準階調値に基づいて設定され且つ当該第２基準階調値の比較対象となる第２比較階調値とを設定する機能と、
前記第１基準階調値に設定された第１基準画像および前記第１比較階調値に設定された第１比較画像を並べて配置した第１画像と、前記第２基準階調値に設定された第２基準画像および前記第２比較階調値に設定された第２比較画像を並べて配置した第２画像とを作成する機能と
を実現させるプログラム。
【発明の詳細な説明】
【技術分野】
【０００１】
本発明は、画像処理装置、画像処理方法およびプログラムに関する。
【背景技術】
【０００２】
公報記載の従来技術として、少なくとも３つ以上の階調レベルによって構成される画像データと、画像データを表示する表示手段と、表示手段に表示される画像データの見え方をユーザが識別し、その識別結果を入力する入力手段と、入力手段で入力される識別結果に基づいて、表示手段の表示特性を算出手段とを備えた表示特性設定装置が存在する（特許文献１参照）。
【０００３】
特許文献１においては、２種類の階調値を交互に配列した第１の画像と、１種類の階調値による第２の画像（ベタ画像）とを接触させて表示手段に表示する。このとき、階調値が異なる複数の第２の画像を第１の画像とともに表示させるようにすることで、どの第２の画像が第１の画像と同じにみえたか（実際には、第１の画像と同じにはみえない残りの第２の画像が、どのような形状（例えば所謂７セグによる数字形状）にみえるか）に基づいて、表示手段の階調特性を求めている。
【先行技術文献】
【特許文献】
【０００４】
【特許文献１】特開平９−３０５１５３号公報
【発明の概要】
【発明が解決しようとする課題】
【０００５】
本発明は、表示装置における階調特性の形状を、より正確に把握できるようにすることを目的とする。
【課題を解決するための手段】
【０００６】
請求項１記載の発明は、第１基準となる第１基準階調値と、第２基準となり且つ当該第１基準階調値とは階調が異なる第２基準階調値とを設定する基準設定手段と、前記第１基準階調値に基づいて設定され且つ当該第１基準階調値の比較対象となる第１比較階調値と、前記第２基準階調値に基づいて設定され且つ当該第２基準階調値の比較対象となる第２比較階調値とを設定する比較設定手段と、前記第１基準階調値に設定された第１基準画像および前記第１比較階調値に設定された第１比較画像を並べて配置した第１画像と、前記第２基準階調値に設定された第２基準画像および前記第２比較階調値に設定された第２比較画像を並べて配置した第２画像とを作成する作成手段とを含む画像処理装置である。
【０００７】
請求項２記載の発明は、前記比較設定手段は、前記第１比較階調値として複数の値を設定するとともに、前記第２比較階調値として複数の値を設定し、前記作成手段は、前記第１画像として、前記第１基準画像と、前記第１比較階調値のそれぞれの値に設定されることで階調を異ならせた複数の前記第１比較画像とを並べて当該第１画像を作成するとともに、前記第２画像として、前記第２基準画像と、前記第２比較階調値のそれぞれの値に設定されることで階調を異ならせた複数の前記第２比較画像とを並べて当該第２画像を作成することを特徴とする請求項１記載の画像処理装置である。
請求項３記載の発明は、前記比較設定手段は、前記第１比較階調値として複数の値を設定する場合に、当該第１比較階調値を構成する複数の値のすべてを前記第１基準階調値よりも大きくまたは小さく設定し、前記第２比較階調値として複数の値を設定する場合に、当該第２比較階調値を構成する複数の値の全てを前記第２基準階調値よりも大きくまたは小さく設定することを特徴とする請求項２記載の画像処理装置である。
請求項４記載の発明は、前記作成手段は、前記第１画像と前記第２画像とを並べて配置することを特徴とする請求項１乃至３のいずれか１項記載の画像処理装置である。
請求項５記載の発明は、前記基準設定手段は、前記第１基準階調値を全階調の半分を超える階調値に設定し、前記第２基準階調値を当該全階調の半分未満となる階調値に設定することを特徴とする請求項１乃至４のいずれか１項記載の画像処理装置である。
【０００８】
請求項６記載の発明は、第１基準となる第１基準階調値と、第２基準となり且つ当該第１基準階調値とは階調が異なる第２基準階調値とを設定するステップと、前記第１基準階調値に基づいて設定され且つ当該第１基準階調値の比較対象となる第１比較階調値と、前記第２基準階調値に基づいて設定され且つ当該第２基準階調値の比較対象となる第２比較階調値とを設定するステップと、前記第１基準階調値に設定された第１基準画像および前記第１比較階調値に設定された第１比較画像を並べて配置した第１画像と、前記第２基準階調値に設定された第２基準画像および前記第２比較階調値に設定された第２比較画像を並べて配置した第２画像とを作成するステップとを含む画像処理方法である。
【０００９】
請求項７記載の発明は、前記第１画像および前記第２画像を作成するステップの後、当該第１画像および当該第２画像を表示装置に表示させるステップと、前記表示装置に表示された前記第１画像において、前記第１基準画像と前記第１比較画像との識別が目視にて可能であったか否かを受け付けるとともに、当該表示装置に表示された前記第２画像において、前記第２基準画像と前記第２比較画像との識別が目視にて可能であったか否かを受け付けるステップと、前記第１画像における識別結果と前記第２画像における識別結果とに基づいて、前記表示装置における階調形状を特定するステップとをさらに含むことを特徴とする請求項６記載の画像処理方法である。
【００１０】
請求項８記載の発明は、コンピュータに、第１基準となる第１基準階調値と、第２基準となり且つ当該第１基準階調値とは階調が異なる第２基準階調値とを設定する機能と、前記第１基準階調値に基づいて設定され且つ当該第１基準階調値の比較対象となる第１比較階調値と、前記第２基準階調値に基づいて設定され且つ当該第２基準階調値の比較対象となる第２比較階調値とを設定する機能と、前記第１基準階調値に設定された第１基準画像および前記第１比較階調値に設定された第１比較画像を並べて配置した第１画像と、前記第２基準階調値に設定された第２基準画像および前記第２比較階調値に設定された第２比較画像を並べて配置した第２画像とを作成する機能とを実現させるプログラムである。
【発明の効果】
【００１１】
請求項１記載の発明によれば、本構成を有していない場合と比較して、表示装置における階調特性の形状を、より正確に把握できるようにすることができる。
請求項２記載の発明によれば、本構成を有していない場合と比較して、表示装置における階調特性の形状を、さらに正確に把握することが可能になる。
請求項３記載の発明によれば、本構成を有していない場合と比較して、作業者による誤認識を抑制することができる。
請求項４記載の発明によれば、本構成を有していない場合と比較して、より少ない画像の表示回数にて、表示装置における階調の形状を把握することができる。
請求項５記載の発明によれば、本構成を有していない場合と比較して、表示装置における階調特性の形状を、さらに正確に把握できるようにすることができる。
請求項６記載の発明によれば、本構成を有していない場合と比較して、表示装置における階調特性の形状を、より正確に把握することができる。
請求項７記載の発明によれば、本構成を有していない場合と比較して、作業者による画像の目視での確認により、表示装置における階調特性の形状を把握することが可能になる。
請求項８記載の発明によれば、本構成を有していない場合と比較して、表示装置における階調特性の形状を、より正確に把握できるようにすることができる。
【図面の簡単な説明】
【００１２】
【図１】本発明の実施の形態が適用される画像表示システムの構成の一例を示した図である。
【図２】コンピュータ装置のハードウェア構成を示した図である。
【図３】コンピュータ装置における試験画像データ作成部の機能構成例を示した図である。
【図４】コンピュータ装置における階調形状特定部の機能構成例を示した図である。
【図５】表示装置の階調形状特定動作における処理手順を示すフローチャートである。
【図６】試験画像データ作成の詳細手順を説明するためのフローチャートである。
【図７】階調形状特定の詳細手順を説明するためのフローチャートである。
【図８】基準階調値および比較階調値を説明するための図である。
【図９】実施の形態１における評価画像の形状の構成例を説明するための図である。
【図１０】実施の形態１において、試験画像データに基づいて表示装置に表示される試験画像の一例を説明するための図である。
【図１１】実施の形態１における試験画像の構成要素を説明するための図である。
【図１２】判別用テーブルの構成例を説明するための図である。
【図１３】判別用テーブルに記載される階調形状のパターン例を説明するための図である。
【図１４】実施の形態１における試験画像の他の構成例を示す図である。
【図１５】実施の形態２において、試験画像データに基づいて表示装置に表示される試験画像の一例を説明するための図である。
【図１６】実施の形態２における試験画像の構成要素を説明するための図である。
【図１７】実施の形態３において、試験画像データに基づいて表示装置に表示される試験画像の一例を説明するための図である。
【図１８】実施の形態４において、試験画像データに基づいて表示装置に表示される試験画像の一例を説明するための図である。
【図１９】実施の形態５において、試験画像データに基づいて表示装置に表示される試験画像の一例を説明するための図である。
【図２０】実施の形態６において、試験画像データに基づいて表示装置に表示される試験画像の一例を説明するための図である。
【図２１】実施の形態７において、試験画像データに基づいて表示装置に表示される試験画像の一例を説明するための図である。
【図２２】実施の形態８における評価画像の形状の構成例を説明するための図である。
【図２３】実施の形態８において、試験画像データに基づいて表示装置に表示される試験画像の一例を説明するための図である。
【図２４】実施の形態９における、基準階調値の決定手法を説明するための図である。
【発明を実施するための形態】
【００１３】
以下、添付図面を参照して、本発明の実施の形態について詳細に説明する。
＜実施の形態１＞
図１は、本発明の実施の形態が適用される画像表示システム１０の構成の一例を示した図である。
この画像表示システム１０は、表示のための画像データの作成等を行うコンピュータ装置２０と、コンピュータ装置２０で作成された画像データに基づく画像を表示画面３１に表示する表示装置３０と、コンピュータ装置２０に対する入力等を受け付ける入力装置４０とを備えている。
【００１４】
この画像表示システム１０において、コンピュータ装置２０および表示装置３０は例えばＤＶＩ（Digital Visual Interface）を介して接続されており、コンピュータ装置２０および入力装置４０は例えばＵＳＢ（Universal Serial Bus）を介して接続されている。なお、コンピュータ装置２０および表示装置３０については、ＤＶＩに代えて、ＨＤＭＩ（High-Definition Multimedia Interface：登録商標）やDisplayPortを介して接続するようにしてもかまわない。
【００１５】
コンピュータ装置２０は、所謂汎用のパーソナルコンピュータである。そして、コンピュータ装置２０は、ＯＳ（Operating System）の管理下において、各種アプリケーションソフトウェアを動作させることで、画像データの作成等が行われるようになっている。
【００１６】
また、表示装置３０は、例えばＰＣ用の液晶ディスプレイ、液晶テレビあるいはプロジェクタなど、加法混色にて画像を表示する機能を備えたもので構成される。したがって、表示装置３０における表示方式は、液晶方式に限定されるものではない。なお、図１は、表示装置３０としてＰＣ用の液晶ディスプレイを用いた場合を例示していることから、表示装置３０内に表示画面３１が設けられているが、表示装置３０として例えばプロジェクタを用いる場合、表示画面３１は、表示装置３０の外部に設けられたスクリーン等となる。
【００１７】
さらに、入力装置４０は、例えばキーボード装置やマウス装置等で構成される。
【００１８】
この画像表示システム１０では、例えば入力装置４０およびコンピュータ装置２０を用いて作成した表示画像データに基づく画像を、表示装置３０の表示画面３１に表示させるようになっている。ここで、コンピュータ装置２０で動作するアプリケーションソフトウェアを用いて製品のデザイン等を行う場合には、表示装置３０における表示画面３１に、画像を正しい色で表示させることが要求される。特に、表示装置３０においては、表示装置３０に固有な階調特性に起因して、ＲＧＢ各色の階調が目的とする階調からずれてしまうことがあり、階調のずれに伴って画像の色も目的とする色からずれることになってしまう。
【００１９】
このため、この画像表示システム１０では、コンピュータ装置２０あるいはコンピュータ装置２０の外部で作成した試験画像データに基づく試験画像を、コンピュータ装置２０を用いて表示装置３０（表示画面３１）に表示させ、表示装置３０に表示された試験用画像を作業者（ユーザ）が目視で読み取った結果に基づいて、この表示装置３０の階調特性（階調の形状）を特定する階調形状特定動作を実行できるようになっている。なお、本実施の形態では、コンピュータ装置２０において試験画像データの作成を行っている。
【００２０】
そして、本実施の形態のコンピュータ装置２０は、上述した階調形状特定動作に用いる試験画像を作成する試験画像データ作成部２１と、試験画像データ作成部２１で作成された試験画像データに基づいて表示装置３０に表示させる表示画像を作成するビデオカード等からなる表示画像作成部２２と、試験画像データ作成部２１で作成された試験画像データと入力装置４０を介して入力されてくる試験画像の読み取り結果とに基づいて、表示装置３０の階調形状を特定する階調形状特定部２３と、コンピュータ装置２０で使用する各種データおよびコンピュータ装置２０で作成される各種データを記憶する記憶部２４とを備えている。
【００２１】
図２は、コンピュータ装置２０のハードウェア構成を示した図である。
コンピュータ装置２０は、上述したようにパーソナルコンピュータ等により実現される。そして、コンピュータ装置２０は、演算手段であるＣＰＵ（Central Processing Unit）２０ａと、記憶手段であるメインメモリ２０ｂおよびＨＤＤ（Hard Disk Drive）２０ｃとを備える。ここで、ＣＰＵ２０ａは、ＯＳやアプリケーションソフトウェア等の各種プログラムを実行する。また、メインメモリ２０ｂは、各種プログラムやその実行に用いるデータ等を記憶する記憶領域であり、ＨＤＤ２０ｃは、各種プログラムに対する入力データや各種プログラムからの出力データ等を記憶する記憶領域である。さらに、コンピュータ装置２０は、入力装置４０や表示装置３０を含む外部との通信を行うための通信インタフェース（以下、「通信Ｉ／Ｆ」と表記する）２０ｄを備えている。
【００２２】
なお、このプログラムに関する提供形態としては、予めＨＤＤ２０ｃに格納された状態にて提供され、メインメモリ２０ｂにロードされる形態がある。また、インターネット等のネットワークを介してコンピュータ装置２０にプログラムが伝送され、通信Ｉ／Ｆ２０ｄを介してＨＤＤ２０ｃにインストールされ、メインメモリ２０ｂにロードされる形態がある。さらにまた、ＤＶＤ−ＲＯＭやフラッシュメモリ等の外部記録媒体からメインメモリ２０ｂにロードされる形態がある。
【００２３】
図３は、図１に示すコンピュータ装置２０における試験画像データ作成部２１の機能構成例を示した図である。
画像処理装置の一例としての試験画像データ作成部２１は、基準階調値設定部２１１と、比較階調値設定部２１２と、画像形状設定部２１３と、画像配置設定部２１４と、試験画像生成部２１５とを備える。
【００２４】
基準設定手段の一例としての基準階調値設定部２１１は、上述した階調形状特定動作において、入力装置４０にて受け付けた入力（指示）に基づき、階調値の基準となる基準階調値の設定を行う。ここで、本実施の形態の基準階調値設定部２１１は、基準階調として複数の値を設定する。なお、基準階調値の詳細については後述する。
【００２５】
また、比較設定手段の一例としての比較階調値設定部２１２は、上述した階調形状特定動作において、基準階調値設定部２１１で設定された基準階調値を構成する複数の値のそれぞれに対応して、基準階調値の比較対象となる比較階調値の設定を行う。ここで、本実施の形態の比較階調値設定部２１２は、基準階調値を構成する複数の値のそれぞれに対応した比較階調値として１または複数の値を設定する。なお、比較階調値の詳細については後述する。
【００２６】
さらに、画像形状設定部２１３は、上述した階調形状特定動作において、作業者による評価対象となる評価画像の形状を設定する。なお、評価画像および評価画像の形状の詳細については後述する。
【００２７】
さらにまた、画像配置設定部２１４は、上述した階調形状特定動作において、試験画像における上記評価画像の配置を設定する。なお、評価画像の配置の詳細については後述する。
【００２８】
そして、作成手段の一例としての試験画像生成部２１５は、基準階調値設定部２１１で設定された基準階調値、比較階調値設定部２１２で設定された比較階調値、画像形状設定部２１３で設定された評価画像の形状、および、画像配置設定部２１４で設定された評価画像の配置に基づき、表示装置３０の表示画面３１（図１参照）に表示する試験画像の元となる試験画像データを生成する。試験画像生成部２１５が生成した試験画像データは、表示画像作成部２２および階調形状特定部２３に出力される。なお、試験画像の詳細については後述する。
【００２９】
図４は、図１に示すコンピュータ装置２０における階調形状特定部２３の機能構成例を示した図である。
本実施の形態の階調形状特定部２３は、判別用テーブル作成部２３１と、階調形状判別部２３２とを備える。
【００３０】
判別用テーブル作成部２３１は、上述した階調形状特定動作において、試験画像データ作成部２１から入力されてくる試験画像データに基づき、階調形状を特定するために用いられる判別用テーブルを作成する。なお、判別用テーブルの詳細については後述する。
【００３１】
階調形状判別部２３２は、判別用テーブル作成部２３１で作成された判別用テーブルと、入力装置４０を介して入力されてくる試験画像の読み取り結果とに基づいて、表示装置３０の階調形状を判別する。なお、階調形状の具体的な判別手法（特定手法）については後述する。
【００３２】
図５は、表示装置３０の階調形状特定動作における処理手順を示すフローチャートである。なお、図５に示す処理（後述する図６および図７に示す処理を含む）は、ＲＧＢの各色について、それぞれ行われる。
【００３３】
この処理においては、まず、コンピュータ装置２０に設けられた試験画像データ作成部２１が、試験画像データを作成する（ステップ１０）。続いて、ステップ１０で作成された試験画像データに基づいて、コンピュータ装置２０に設けられた表示画像作成部２２が表示画像データを作成し、作成した表示画像データを表示装置３０に出力することで、表示装置３０に表示画像として試験画像を表示させる（ステップ２０）。そして、作業者は、表示装置３０の表示画面３１に表示される試験画像を目視で評価し、その読み取り結果（評価結果）を、入力装置４０を用いて入力する。
【００３４】
これに伴い、コンピュータ装置２０の階調形状特定部２３は、入力装置４０を介して評価結果の入力を受け付ける（ステップ３０）。そして、コンピュータ装置２０の階調形状特定部２３は、ステップ１０で作成された試験画像データと、ステップ３０で入力を受け付けた評価結果とに基づき、表示装置３０の階調形状特性を特定し（ステップ４０）、一連の処理を完了する。
【００３５】
図６は、図５のステップ１０に示す試験画像データ作成の詳細手順を説明するためのフローチャートである。なお、試験画像データを作成する処理は、上述したように、図３に示す試験画像データ作成部２１で行われる。
試験画像データの作成においては、まず、基準階調値設定部２１１が、入力装置４０からの入力（指示）に基づいて基準階調値の設定を行う（ステップ１１）。次に、比較階調値設定部２１２が、ステップ１１で作成された基準階調値に基づいて比較階調値の設定を行う（ステップ１２）。続いて、画像形状設定部２１３が、試験画像における評価画像の形状を設定し（ステップ１３）、画像配置設定部２１４が、試験画像における評価画像の配置を設定する（ステップ１４）。そして、試験画像生成部２１５が、これら基準階調値、比較階調値、評価画像の形状および評価画像の配置に基づいて試験画像（試験画像データ）を生成し（ステップ１５）、一連の処理を完了する。
【００３６】
図７は、図５のステップ４０に示す階調形状特定の詳細手順を説明するためのフローチャートである。なお、階調形状を特定する処理は、上述したように、図４に示す階調形状特定部２３で行われる。
階調形状の特定においては、まず、判別用テーブル作成部２３１が、試験画像データ作成部２１から入力されてくる試験画像データに基づいて判別用テーブルを作成する（ステップ４１）。次に、階調形状判別部２３２が、入力装置４０を介して入力されてくる試験画像の読み取り結果（識別画像の個数）を取得する（ステップ４２）。そして、階調形状判別部２３２が、ステップ４１で作成された判別用テーブルと、ステップ４２で取得された識別画像の個数とに基づいて、表示装置３０の階調形状を判別し（ステップ４３）、一連の処理を完了する。
【００３７】
なお、その後、ステップ４３で特定された階調形状に基づき、コンピュータ装置２０により、表示装置３０に対するキャリブレーション（トーンカーブの調整等）が実行され、調整に伴って得られた補正値（階調補正値）が、コンピュータ装置２０に設けられた表示画像作成部２２（ビデオカード）に書き込まれることにより、表示装置３０に起因する階調のずれが補正される。
【００３８】
ではここで、具体例を挙げつつ、上述した階調形状の特定動作について説明を行う。なお、この説明においては、表示装置３０が、ＲＧＢ各色を８ビットすなわち２５６階調（階調値：０〜２５５）で表現しているものとする。
【００３９】
図８は、図６に示すステップ１１で設定される基準階調値Ｇｓおよびステップ１２で設定される比較階調値Ｇｃを説明するための図である。
本実施の形態では、上述したように、基準階調値Ｇｓとして複数の値が設定されるが、この例では基準階調値Ｇｓとして２つの値、より具体的には、第１基準階調値Ｇｓ１および第２基準階調値Ｇｓ２が設定されている。なお、この例においては、第１基準階調値Ｇｓ１として「１９２」が、第２基準階調値Ｇｓ２として「６４」が、それぞれ設定されている。ここで、第１基準階調値Ｇｓ１および第２基準階調値Ｇｓ２は、それぞれの値が異なっていること、および、最低階調値および最高階調値以外から選ばれることが前提となっている。この例では、第１基準階調値Ｇｓ１が、２５６階調のうちの半分超であってほぼ４分の３となる値（１９２）に設定され、第２基準階調値Ｇｓ２が、２５６階調のうちの半分未満であってほぼ４分の１となる値（６４）に設定されている。なお、基準階調値Ｇｓを構成する複数の値の、他の設定手法については後述する。
【００４０】
また、本実施の形態の比較階調値Ｇｃは、第１基準階調値Ｇｓ１に基づいて決められた第１比較階調値Ｇｃ１と、第２基準階調値Ｇｓ２に基づいて決められた第２比較階調値Ｇｃ２とを有している。ここで、本実施の形態では、第１比較階調値Ｇｃ１として３つの値が設定され、第２比較階調値Ｇｃ２として３つの値が設定されている。より具体的に説明すると、第１比較階調値Ｇｃ１は、第１基準第１比較階調値（以下では「１−１比較階調値」と称する）Ｇｃ１１と、第１基準第２比較階調値（以下では「１−２比較階調値」と称する）Ｇｃ１２と、第１基準第３比較階調値（以下では「１−３比較階調値」と称する）Ｇｃ１３とを含んでいる。一方、第２比較階調値Ｇｃ２は、第２基準第１比較階調値（以下では「２−１比較階調値」と称する）Ｇｃ２１と、第２基準第２比較階調値（以下では「２−２比較階調値」と称する）Ｇｃ２２と、第２基準第３比較階調値（以下では「２−３比較階調値」と称する）Ｇｃ２３とを含んでいる。
【００４１】
ここで、第１比較階調値Ｇｃ１（１−１比較階調値Ｇｃ１１、１−２比較階調値Ｇｃ１２および１−３比較階調値Ｇｃ１３）は、第１基準階調値Ｇｓ１に近い値であって、第１基準階調値Ｇｓ１より大きい値、あるいは、第１基準階調値Ｇｓ１より小さい値から選択される。例えば１−１比較階調値Ｇｃ１１が第１基準階調値Ｇｓ１よりも大きい値であれば、１−２比較階調値Ｇｃ１２および１−３比較階調値Ｇｃ１３も第１基準階調値Ｇｓ１よりも大きい値となる。一方、例えば１−１比較階調値Ｇｃ１１が第１基準階調値Ｇｓ１よりも小さい値であれば、１−２比較階調値Ｇｃ１２および１−３比較階調値Ｇｃ１３も第１基準階調値Ｇｓ１よりも小さい値となる。ただし、１−１比較階調値Ｇｃ１１、１−２比較階調値Ｇｃ１２および１−３比較階調値Ｇｃ１３は、互いに異なる値である。なお、この例においては、１−１比較階調値Ｇｃ１１として「１９４」が、１−２比較階調値Ｇｃ１２として「１９６」が、１−３比較階調値Ｇｃ１３として「１９８」が、それぞれ設定されている。すなわち、この例においては、第１比較階調値Ｇｃ１（１−１比較階調値Ｇｃ１１、１−２比較階調値Ｇｃ１２および１−３比較階調値Ｇｃ１３）の値（１９４〜１９８）が、第１基準階調値Ｇｓ１（１９２）よりも大きい値に設定されている。
【００４２】
また、第２比較階調値Ｇｃ２（２−１比較階調値Ｇｃ２１、２−２比較階調値Ｇｃ２２および２−３比較階調値Ｇｃ２３）は、第２基準階調値Ｇｓ２に近い値であって、第２基準階調値Ｇｓ２より大きい値、あるいは、第２基準階調値Ｇｓ２より小さい値から選択される。例えば２−１比較階調値Ｇｃ２１が第２基準階調値Ｇｓ２よりも大きい値であれば、２−２比較階調値Ｇｃ２２および２−３比較階調値Ｇｃ２３も第２基準階調値Ｇｓ２よりも大きい値となる。一方、例えば２−１比較階調値Ｇｃ２１が第２基準階調値Ｇｓ２よりも小さい値であれば、２−２比較階調値Ｇｃ２２および２−３比較階調値Ｇｃ２３も第２基準階調値Ｇｓ２よりも小さい値となる。ただし、２−１比較階調値Ｇｃ２１、２−２比較階調値Ｇｃ２２および２−３比較階調値Ｇｃ２３は、互いに異なる値である。なお、この例においては、２−１比較階調値Ｇｃ２１として「６６」が、２−２比較階調値Ｇｃ２２として「６８」が、２−３比較階調値Ｇｃ２３として「７０」が、それぞれ設定されている。すなわち、この例においては、第２比較階調値Ｇｃ２（２−１比較階調値Ｇｃ２１、２−２比較階調値Ｇｃ２２および２−３比較階調値Ｇｃ２３）の値（６６〜７０）が、第２基準階調値Ｇｓ２（６４）よりも大きい値に設定されている。
【００４３】
なお、この例では、第１比較階調値Ｇｃ１を第１基準階調値Ｇｓ１よりも大きく設定するとともに第２比較階調値Ｇｃ２を第２基準階調値Ｇｓ２よりも大きく設定しているが、これに限られるものではない。例えば、第１比較階調値Ｇｃ１を第１基準階調値Ｇｓ１よりも大きく設定するとともに第２比較階調値Ｇｃ２を第２基準階調値Ｇｓ２よりも小さく設定してもよいし、第１比較階調値Ｇｃ１を第１基準階調値Ｇｓ１よりも小さく設定するとともに第２比較階調値Ｇｃ２を第２基準階調値Ｇｓ２よりも大きく設定してもよいし、第１比較階調値Ｇｃ１を第１基準階調値Ｇｓ１よりも小さく設定するとともに第２比較階調値Ｇｃ２を第２基準階調値Ｇｓ２よりも小さく設定してもよい。
【００４４】
また、この例では、第１基準階調値Ｇｓ１と１−１比較階調値Ｇｃ１１との階調差、１−１比較階調値Ｇｃ１１と１−２比較階調値Ｇｃ１２との階調差、そして、１−２比較階調値Ｇｃ１２と１−３比較階調値Ｇｃ１３との階調差が、それぞれ「２」に設定されているが、これに限られるものではない。例えば、それぞれの階調差を等しくしなくてもかまわない。ただし、後述するように、本実施の形態では階調差の少ない評価画像を用いて評価を行うことから、階調差は最大で１０程度とすることが望ましい。そして、このことは、第２基準階調値Ｇｓ２と第２比較階調値Ｇｃ２（２−１比較階調値Ｇｃ２１、２−２比較階調値Ｇｃ２２および２−３比較階調値Ｇｃ２３）との階調差においても同じである。
【００４５】
図９は、図６に示すステップ１３で設定される評価画像Ｉｅの形状の構成例を説明するための図である。本実施の形態では、後述するように、１つの試験画像中に、図９に示す評価画像Ｉｅが複数個配置される。
【００４６】
本実施の形態の評価画像Ｉｅは、円形状に形成される背景画像Ｉｂと、円形状に形成されるとともに背景画像Ｉｂよりも小さな直径を有し、中心の位置が背景画像Ｉｂと一致するように背景画像Ｉｂに重ねて配置される前景画像Ｉｆとを有している。そして、前景画像Ｉｆは、背景画像Ｉｂと接し且つ背景画像Ｉｂによって囲われた状態となっている。
【００４７】
この例において、背景画像Ｉｂの階調は、図８に示す基準階調値Ｇｓから選ばれたいずれかの値に設定され、前景画像Ｉｆの階調は、図８に示す比較階調値Ｇｃから選ばれたいずれかの値に設定される。ただし、例えば背景画像Ｉｂの階調が第１基準階調値Ｇｓ１に設定される場合、前景画像Ｉｆの階調は第１比較階調値Ｇｃ１を構成する１−１比較階調値Ｇｃ１１、１−２比較階調値Ｇｃ１２あるいは１−３比較階調値Ｇｃ１３に設定され、例えば背景画像Ｉｂの階調が第２基準階調値Ｇｓ２に設定される場合、前景画像Ｉｆの階調は第２比較階調値Ｇｃ２を構成する２−１比較階調値Ｇｃ２１、２−２比較階調値Ｇｃ２２あるいは２−３比較階調値Ｇｃ２３に設定される。したがって、評価画像Ｉｅにおいては、背景画像Ｉｂと前景画像Ｉｆとの階調差が小さく設定される（この例において、階調差は最大でも６である）ため、背景画像Ｉｂと前景画像Ｉｆとの判別がしづらい状態となっている。
なお、評価画像Ｉｅの構成はこれに限られるものではなく、例えば前景画像Ｉｆの階調を基準階調値Ｇｓから選択するとともに、背景画像Ｉｂの階調を比較階調値Ｇｃから選択するようにしてもかまわない。
【００４８】
図１０は、図６に示すステップ１５で作成される試験画像データに基づいて表示装置３０（表示画面３１）に表示される試験画像Ｉｔの一例を説明するための図である。
また、図１１は、図１０に示す試験画像Ｉｔの構成要素を説明するための図である。
【００４９】
本実施の形態の試験画像Ｉｔは、第１基準階調値Ｇｓ１および第１比較階調値Ｇｃ１に基づいて作成された第１試験画像Ｉｔ１と、第２基準階調値Ｇｓ２および第２比較階調値Ｇｃ２に基づいて作成された第２試験画像Ｉｔ２と、これら第１試験画像Ｉｔ１および第２試験画像Ｉｔ２の全体の背景となる第３試験画像Ｉｔ３とを有している。
【００５０】
図１０に示す試験画像Ｉｔにおいては、図９に示す評価画像Ｉｅが、横に３列および縦に２列（３×２＝６）並べて配置されている。そして、これらのうち、表示画面３１において、上段に横に３つ並べて配置された評価画像Ｉｅが第１試験画像Ｉｔ１となり、第１試験画像Ｉｔ１からみて下段に横に３つ並べて配置された評価画像Ｉｅが第２試験画像Ｉｔ２となる。
【００５１】
まず、第１画像の一例としての第１試験画像Ｉｔ１は、図中左側から順に、第１試験第１評価画像（以下では「１−１評価画像」と称する）Ｉｅ１１と、第１試験第２評価画像（以下では「１−２評価画像」と称する）Ｉｅ１２と、第１試験第３評価画像（以下では「１−３評価画像」と称する）Ｉｅ１３とを含んでいる。ここで、１−１評価画像Ｉｅ１１は、背景となる第１試験第１背景画像（以下では「１−１背景画像」と称する）Ｉｂ１１と、前景となる第１試験第１前景画像（以下では「１−１前景画像」と称する）Ｉｆ１１とを有している。また、１−２評価画像Ｉｅ１２は、背景となる第１試験第２背景画像（以下では「１−２背景画像」と称する）Ｉｂ１２と、前景となる第１試験第２前景画像（以下では「１−２前景画像」と称する）Ｉｆ１２とを有している。さらに、１−３評価画像Ｉｅ１３は、背景となる第１試験第３背景画像（以下では「１−３背景画像」と称する）Ｉｂ１３と、前景となる第１試験第３前景画像（以下では「１−３前景画像」と称する）Ｉｆ１３とを有している。
【００５２】
１−１評価画像Ｉｅ１１において、１−１背景画像Ｉｂ１１の階調は第１基準階調値Ｇｓ１に設定され、１−１前景画像Ｉｆ１１の階調は１−１比較階調値Ｇｃ１１に設定される。また、１−２評価画像Ｉｅ１２において、１−２背景画像Ｉｂ１２の階調は第１基準階調値Ｇｓ１に設定され、１−２前景画像Ｉｆ１２の階調は１−２比較階調値Ｇｃ１２に設定される。さらに、１−３評価画像Ｉｅ１３において、１−３背景画像Ｉｂ１３の階調は第１基準階調値Ｇｓ１に設定され、１−３前景画像Ｉｆ１３の階調は１−３比較階調値Ｇｃ１３に設定される。このように、第１試験画像Ｉｔ１を構成する３つの評価画像Ｉｅにおいては、背景画像Ｉｂの階調が共通の値に設定される一方、前景画像Ｉｆの階調はそれぞれ異なる値に設定される。なお、本実施の形態では、第１画像の一例としての第１試験画像Ｉｔ１のうち、各背景画像Ｉｂ（１−１背景画像Ｉｂ１１、１−２背景画像Ｉｂ１２および１−３背景画像Ｉｂ１３）が第１基準画像として、各前景画像Ｉｆ（１−１前景画像Ｉｆ１１、１−２前景画像Ｉｆ１２および１−３前景画像Ｉｆ１３）が第１比較画像として、それぞれ機能している。
【００５３】
これに対し、第２画像の一例としての第２試験画像Ｉｔ２は、図中左側から順に、第２試験第１評価画像（以下では「２−１評価画像」と称する）Ｉｅ２１と、第２試験第２評価画像（以下では「２−２評価画像」と称する）Ｉｅ２２と、第２試験第３評価画像（以下では「２−３評価画像」と称する）Ｉｅ２３とを含んでいる。ここで、２−１評価画像Ｉｅ２１は、背景となる第２試験第１背景画像（以下では「２−１背景画像」と称する）Ｉｂ２１と、前景となる第２試験第１前景画像（以下では「２−１前景画像」と称する）Ｉｆ２１とを有している。また、２−２評価画像Ｉｅ２２は、背景となる第２試験第２背景画像（以下では「２−２背景画像」と称する）Ｉｂ２２と、前景となる第２試験第２前景画像（以下では「２−２前景画像」と称する）Ｉｆ２２とを有している。さらに、２−３評価画像Ｉｅ２３は、背景となる第２試験第３背景画像（以下では「２−３背景画像」と称する）Ｉｂ２３と、前景となる第２試験第３前景画像（以下では「２−３前景画像」と称する）Ｉｆ２３とを有している。
【００５４】
２−１評価画像Ｉｅ２１において、２−１背景画像Ｉｂ２１の階調は第２基準階調値Ｇｓ２に設定され、２−１前景画像Ｉｆ２１の階調は２−１比較階調値Ｇｃ２１に設定される。また、２−２評価画像Ｉｅ２２において、２−２背景画像Ｉｂ２２の階調は第２基準階調値Ｇｓ２に設定され、２−２前景画像Ｉｆ２２の階調は２−２比較階調値Ｇｃ２２に設定される。さらに、２−３評価画像Ｉｅ２３において、２−３背景画像Ｉｂ２３の階調は第２基準階調値Ｇｓ２に設定され、２−３前景画像Ｉｆ２３の階調は２−３比較階調値Ｇｃ２３に設定される。このように、第２試験画像Ｉｔ２を構成する３つの評価画像Ｉｅにおいても、背景画像Ｉｂの階調が共通の値に設定される一方、前景画像Ｉｆの階調はそれぞれ異なる値に設定される。なお、本実施の形態では、第２画像の一例としての第２試験画像Ｉｔ２のうち、各背景画像Ｉｂ（２−１背景画像Ｉｂ２１、２−２背景画像Ｉｂ２２および２−３背景画像Ｉｂ２３）が第２基準画像として、各前景画像Ｉｆ（２−１前景画像Ｉｆ２１、２−２前景画像Ｉｆ２２および２−３前景画像Ｉｆ２３）が第２比較画像として、それぞれ機能している。
【００５５】
他方、第３試験画像Ｉｔ３は、単一階調に設定される。なお、この例において、第３試験画像Ｉｔ３は、ホワイト（Ｗ）すなわちＲＧＢの各階調値が（２５５，２５５，２５５）に設定される。
【００５６】
本実施の形態の階調形状特定動作においては、図１０に示す試験画像Ｉｔを表示装置３０の表示画面３１に表示させることで、表示装置３０に固有な特性が加味された試験画像Ｉｔを、作業者に提示する。そして、作業者は、表示画面３１に表示された試験画像Ｉｔを目視にて観察し、第１試験画像Ｉｔ１を構成する３つの評価画像Ｉｅ（１−１評価画像Ｉｅ１１、１−２評価画像Ｉｅ１２および１−３評価画像Ｉｅ１３）のうち、背景画像Ｉｂと前景画像Ｉｆとの識別ができた（目視で階調差を認識できた）画像（以下では識別画像と呼ぶ）の数を、入力装置４０を用いて入力する。また、作業者は、第２試験画像Ｉｔ２を構成する３つの評価画像Ｉｅ（２−１評価画像Ｉｅ２１、２−２評価画像Ｉｅ２２および２−３評価画像Ｉｅ２３）のうち、背景画像Ｉｂと前景画像Ｉｆとの識別ができた識別画像の数を、入力装置４０を用いて入力する。
【００５７】
図１２は、図７に示すステップ４１において作成される判別用テーブルの構成例を説明するための図である。
【００５８】
本実施の形態の判別用テーブルは、試験用画像データに記述される、第１試験画像Ｉｔ１を構成する評価画像Ｉｅの数と、第２試験画像Ｉｔ２を構成する評価画像Ｉｅの数とに基づいて決定される。なお、図１２に示す判別用テーブルは、図１０および図１１に示す試験用画像に対応するものであることから、第１試験画像Ｉｔ１を構成する評価画像Ｉｅの数は３であり、第２試験画像Ｉｔ２を構成する評価画像Ｉｅの数も３である。
【００５９】
図１２に示す判別用テーブルは、第１試験画像Ｉｔ１において背景画像Ｉｂと前景画像Ｉｆとの識別ができた識別画像の数（個数）と、第２試験画像Ｉｔ２において背景画像Ｉｂと前景画像Ｉｆとの識別ができた識別画像の数（個数）と、階調形状の判別結果とを対応付けたものとなっている。この例において、第１試験画像Ｉｔ１における識別画像の個数は０〜３の範囲をとることとなり、第２試験画像Ｉｔ２における識別画像の個数も０〜３の範囲をとることとなる。
【００６０】
この例において、第１試験画像Ｉｔ１における識別画像の個数が「０」であり、第２試験画像Ｉｔ２における識別画像の個数が「０」である場合（以下では、［０：０］と表記する）、階調形状はパターンＡと判別される。また、［０：１］、［０：２］、［０：３］、［１：０］、［１：１］、［１：２］、［２：０］、［２：１］の場合も、階調形状はパターンＡと判別される。また、この例において、［１：３］、［２：２］、［３：１］となる場合、階調形状はパターンＢと判別される。さらに、この例において、［２：３］、［３：０］、［３：２］、［３：３］となる場合、階調形状はパターンＣと判別される。
【００６１】
図１３は、図１２に示す判別用テーブルに記載される階調形状のパターン例を説明するための図である。図１３には、図１２に示すパターンＡ、パターンＢおよびパターンＣが記載されている。なお、パターンＡ〜パターンＣのそれぞれにおいて、横軸は階調値（０〜２５５）であり、縦軸は階調値が２５５のときの輝度で全体の輝度を規格化した相対輝度である。
【００６２】
これらのうち、パターンＡは、低階調領域（階調値が０に近い領域）および高階調領域（階調値が２５５に近い領域）の両者における輝度の傾きが、中階調領域（階調値が１２８に近い領域）における輝度の傾きよりも小さくなる（寝る）、所謂Ｓ字型の階調形状となっている。
【００６３】
また、パターンＢは、高階調領域における輝度の傾きが中階調領域における輝度の傾きよりも大きくなり（立ち）、中階調領域における輝度の傾きが低階調領域における輝度の傾きよりも大きくなる（立つ）、所謂指数関数的な階調形状となっている。
【００６４】
さらに、パターンＣは、低階調領域および高階調領域の両者における輝度の傾きが、中階調領域における輝度の傾きよりも大きくなる（立つ）、所謂逆Ｓ字状の階調形状となっている。
【００６５】
本実施の形態では、基準階調値Ｇｓとして第１基準階調値Ｇｓ１および第２基準階調値Ｇｓ２を設定するとともに、第１基準階調値Ｇｓ１に対しては第１比較階調値Ｇｃ１を、第２基準階調値Ｇｓ２に対しては第２比較階調値Ｇｃ２を、それぞれ設定するようにした。そして、第１基準階調値Ｇｓ１と第１比較階調値Ｇｃ１とを組み合わせてなる第１試験画像Ｉｔ１と、第２基準階調値Ｇｓ２と第２比較階調値Ｇｃ２とを組み合わせてなる第２試験画像Ｉｔ２とを含む試験画像Ｉｔを、表示装置３０の表示画面３１に表示させるようにした。そして、作業者による、第１試験画像Ｉｔ１における識別画像の個数および第２試験画像Ｉｔ２における識別画像の個数の入力を受け付けるようにした。
【００６６】
これにより、本実施の形態では、最低階調値＝０および最高階調値＝２５５の２点に、第１基準階調値Ｇｓ１および第２基準階調値Ｇｓ２の２点を加えた状態に基づいて、表示装置３０の階調形状を特定することができる。その結果、例えば図１３にパターンＢで示す、比較的単純な階調形状に加えて、図１３にパターンＡあるいはパターンＣで示す、比較的複雑な階調形状についても把握することが可能になる。それゆえ、複雑且つ高価な測定器等を使用しなくても、人間が目視した結果に基づいて得られる表示装置３０の階調形状を、より目標とする階調特性に近づけることが可能になる。
【００６７】
したがって、得られた階調形状に基づいて階調補正を行った表示装置３０においては、表示装置３０に固有な階調特性が、階調補正に伴って相殺されることになり、目標とする階調特性を再現した画像を表示させることが可能となる。
【００６８】
特に、本実施の形態では、第１比較階調値Ｇｃ１として１−１比較階調値Ｇｃ１１、１−２比較階調値Ｇｃ１２および１−３比較階調値Ｇｃ１３を設定し、且つ、第２比較階調値Ｇｃ２として２−１比較階調値Ｇｃ２１、２−２比較階調値Ｇｃ２２および２−３比較階調値Ｇｃ２３を設定するようにした。これにより、第１比較階調値Ｇｃ１および第２比較階調値Ｇｃ２としてそれぞれ１つの値を設定する場合と比較して、人間が目視した結果に基づいて得られる表示装置３０の階調形状を、より目標とする階調特性に近づけることが可能になる。
【００６９】
また、ここでは、基準階調値Ｇｓとして２つ値すなわち第１基準階調値Ｇｓ１および第２基準階調値Ｇｓ２を設定するようにしていたが、３つ以上の値を設定することにより、人間が目視した結果に基づいて得られる表示装置３０の階調形状を、目標とする階調特性にさらに近づけることが可能になる。
【００７０】
なお、本実施の形態においては、試験画像Ｉｔにおいて第１試験画像Ｉｔ１および第２試験画像Ｉｔ２のそれぞれを構成する評価画像Ｉｅを、所謂二重丸形状としていたが、これに限られるものではない。
【００７１】
図１４は、本実施の形態における試験画像Ｉｔの他の構成例を示す図である。
図１４に示す試験画像Ｉｔの基本構成は、図１０に示したものと同じであるが、試験画像Ｉｔを構成する６つの評価画像Ｉｅにおける前景画像Ｉｆの形状が、図１０に示すものとは異なる。
【００７２】
第１試験画像Ｉｔ１において、１−１評価画像Ｉｅ１１を構成する１−１前景画像Ｉｆ１１はアルファベットの「ａ」字状に、１−２評価画像Ｉｅ１２を構成する１−２前景画像Ｉｆ１２はアルファベットの「ｂ」字状に、１−３評価画像Ｉｅ１３を構成する１−３前景画像Ｉｆ１３はアルファベットの「ｃ」字状に、それぞれ設定されている。また、第２試験画像Ｉｔ２において、２−１評価画像Ｉｅ２１を構成する２−１前景画像Ｉｆ２１はアルファベットの「ｄ」字状に、２−２評価画像Ｉｅ２２を構成する２−２前景画像Ｉｆ２２はアルファベットの「ｅ」字状に、２−３評価画像Ｉｅ２３を構成する２−３前景画像Ｉｆ２３はアルファベットの「ｆ」字状に、それぞれ設定されている。
【００７３】
ここで、１−１評価画像Ｉｅ１１を構成する１−１背景画像Ｉｂ１１、１−２評価画像Ｉｅ１２を構成する１−２背景画像Ｉｂ１２、１−３評価画像Ｉｅ１３を構成する１−３背景画像Ｉｂ１３、および、２−１評価画像Ｉｅ２１を構成する２−１背景画像Ｉｂ２１、２−２評価画像Ｉｅ２２を構成する２−２背景画像Ｉｂ２２、２−３評価画像Ｉｅ２３を構成する２−３背景画像Ｉｂ２３は、図１０と同じく、それぞれ円形状に設定されている。そして、この例においても、前景画像Ｉｆは、背景画像Ｉｂと接し且つ背景画像Ｉｂによって囲われた状態となっている。
【００７４】
試験画像Ｉｔとしてこのような画像を採用した場合は、図１０に示したような、図形同士を組み合わせた画像と比較して、作業者による背景画像Ｉｂと前景画像Ｉｆとの判別（階調の識別）性をより高めることが可能になる場合がある。
【００７５】
＜実施の形態２＞
本実施の形態の基本構成は、実施の形態１とほぼ同様であるが、試験画像Ｉｔの構成が実施の形態１とは異なる。なお、本実施の形態において、実施の形態１と同様のものについては、同じ符号を付してその詳細な説明を省略する。
【００７６】
図１５は、実施の形態２において、試験画像データに基づいて表示装置３０（表示画面３１）に表示される試験画像Ｉｔの一例を示す図である。
また、図１６は、図１５に示す試験画像Ｉｔの構成要素を説明するための図である。
【００７７】
本実施の形態の試験画像Ｉｔは、第１基準階調値Ｇｓ１および第１比較階調値Ｇｃ１に基づいて作成された第１試験画像Ｉｔ１と、第２基準階調値Ｇｓ２および第２比較階調値Ｇｃ２に基づいて作成された第２試験画像Ｉｔ２とを有している。なお、図１５および図１６に示す例では、実施の形態１とは異なり、試験画像Ｉｔは第３試験画像Ｉｔ３を有していない。
【００７８】
図１５に示す試験画像Ｉｔにおいては、表示画面３１において、上段に第１試験画像Ｉｔ１が配置されており、第１試験画像Ｉｔ１の下段に第２試験画像Ｉｔ２が配置されている。
【００７９】
まず、第１試験画像Ｉｔ１は、図中左側から順に配置される１−１前景画像Ｉｆ１１、１−２前景画像Ｉｆ１２および１−３前景画像Ｉｆ１３を含む第１前景画像Ｉｆ１と、１−１前景画像Ｉｆ１１、１−２前景画像Ｉｆ１２および１−３前景画像Ｉｆ１３の全体の背景となる第１背景画像Ｉｂ１とを有している。
【００８０】
第１試験画像Ｉｔ１において、第１背景画像Ｉｂ１は横長の長方形状に設定されており、第１前景画像Ｉｆ１を構成する１−１前景画像Ｉｆ１１、１−２前景画像Ｉｆ１２および１−３前景画像Ｉｆ１３は、共通の直径を有する円形状に設定されている。そして、第１前景画像Ｉｆ１を構成する１−１前景画像Ｉｆ１１、１−２前景画像Ｉｆ１２および１−３前景画像Ｉｆ１３は、第１背景画像Ｉｂ１と接し且つ第１背景画像Ｉｂ１によって囲われた状態となっている。
【００８１】
この例において、第１試験画像Ｉｔ１を構成する第１背景画像Ｉｂ１の階調は、第１基準階調値Ｇｓ１に設定される。また、第１試験画像Ｉｔ１を構成する第１前景画像Ｉｆ１において、１−１前景画像Ｉｆ１１の階調は１−１比較階調値Ｇｃ１１に、１-２前景画像Ｉｆ１２の階調は１−２比較階調値Ｇｃ１２に、１−３前景画像Ｉｆ１３の階調は１−３比較階調値Ｇｃ１３に、それぞれ設定される。
【００８２】
次に、第２試験画像Ｉｔ２は、図中左側から順に配置される２−１前景画像Ｉｆ２１、２−２前景画像Ｉｆ２２および２−３前景画像Ｉｆ２３を含む第２前景画像Ｉｆ２と、２−１前景画像Ｉｆ２１、２−２前景画像Ｉｆ２２および２−３前景画像Ｉｆ２３の全体の背景となる第２背景画像Ｉｂ２とを有している。
【００８３】
第２試験画像Ｉｔ２において、第２背景画像Ｉｂ２は横長の長方形状に設定されており、第２前景画像Ｉｆ２を構成する２−１前景画像Ｉｆ２１、２−２前景画像Ｉｆ２２および２−３前景画像Ｉｆ２３は、共通の直径を有する円形状に設定されている。そして、第２前景画像Ｉｆ２を構成する２−１前景画像Ｉｆ２１、２−２前景画像Ｉｆ２２および２−３前景画像Ｉｆ２３は、第２背景画像Ｉｂ２と接し且つ第２背景画像Ｉｂ２によって囲われた状態となっている。
【００８４】
この例において、第２試験画像Ｉｔ２を構成する第２背景画像Ｉｂ２の階調は、第２基準階調値Ｇｓ２に設定される。また、第２試験画像Ｉｔ２を構成する第２前景画像Ｉｆ２において、２−１前景画像Ｉｆ２１の階調は２−１比較階調値Ｇｃ２１に、２-２前景画像Ｉｆ２２の階調は２−２比較階調値Ｇｃ２２に、２−３前景画像Ｉｆ２３の階調は２−３比較階調値Ｇｃ２３に、それぞれ設定される。
【００８５】
なお、この例においては、第１試験画像Ｉｔ１を構成する第１背景画像Ｉｂ１の下端側の辺と、第２試験画像Ｉｔ２を構成する第２背景画像Ｉｂ２の上端側の辺とが接触するようになっており、第３試験画像Ｉｔ３を不要としている。
【００８６】
ここで、図１５に示す第１試験画像Ｉｔ１は、図９に示す評価画像Ｉｅにおいて、背景画像Ｉｂを矩形状としたものを、横方向に３つ並べて配置したものとみなすことができる。また、図１５に示す第２試験画像Ｉｔ２も、図９に示す評価画像Ｉｅにおいて、背景画像Ｉｂを矩形状としたものを、横方向に３つ並べて配置したものとみなすことができる。
【００８７】
試験画像Ｉｔとしてこのような構成を採用した場合も、実施の形態１と同様の作用効果を得ることができる。
【００８８】
＜実施の形態３＞
本実施の形態の基本構成は、実施の形態２とほぼ同様であるが、試験画像Ｉｔの構成が実施の形態２とは異なる。なお、本実施の形態において、実施の形態２と同様のものについては、同じ符号を付してその詳細な説明を省略する。
【００８９】
図１７は、実施の形態３において、試験画像データに基づいて表示装置３０（表示画面３１）に表示される試験画像Ｉｔの一例を示す図である。
実施の形態２では、試験画像Ｉｔにおいて、第１試験画像Ｉｔ１および第２試験画像Ｉｔ２を、時間軸において一緒に表示させるようにしていた。これに対し、本実施の形態では、第１試験画像Ｉｔ１および第２試験画像Ｉｔ２を、時間軸において異なるタイミングで表示させるようにしている。
【００９０】
図１７（ａ）は、表示画面３１に表示される第１試験画像Ｉｔ１を示す図である。ここで、第１試験画像Ｉｔ１の構成は、表示画面３１の全体に第１試験画像Ｉｔ１が表示されている点を除けば、実施の形態２で説明したものと同じである。
【００９１】
また、図１７（ｂ）は、第１試験画像Ｉｔ１に続いて表示画面３１に表示される第２試験画像Ｉｔ２を示す図である。ここで、第２試験画像Ｉｔ２の構成は、表示画面３１の全体に第２試験画像Ｉｔ２が表示されている点を除けば、実施の形態２で説明したものと同じである。
【００９２】
試験画像Ｉｔとしてこのような構成を採用した場合も、実施の形態１、２と同様の作用効果を得ることができる。
なお、ここでは、表示画面３１に、第１試験画像Ｉｔ１を表示させた後に第２試験画像Ｉｔ２を表示させるようにしていたが、これに限られるものではなく、表示する順番を逆にしてもよい。
【００９３】
＜実施の形態４＞
本実施の形態の基本構成は、実施の形態３とほぼ同様であるが、試験画像Ｉｔの構成が実施の形態３とは異なる。なお、本実施の形態において、実施の形態３と同様のものについては、同じ符号を付してその詳細な説明を省略する。
【００９４】
図１８は、実施の形態４において、試験画像データに基づいて表示装置３０（表示画面３１）に表示される試験画像Ｉｔの一例を示す図である。
実施の形態３では、第１試験画像Ｉｔ１を構成する複数の前景画像Ｉｆ（１−１前景画像Ｉｆ１１、１−２前景画像Ｉｆ１２および１−３前景画像Ｉｆ１３）、並びに、第２試験画像Ｉｔ２を構成する複数の前景画像Ｉｆ（２−１前景画像Ｉｆ２１、２−２前景画像Ｉｆ２２および２−３前景画像Ｉｆ２３）を、共通の直径を有する円形状に設定していた。これに対し、本実施の形態では、個々の前景画像Ｉｆを異なる形状に設定している。
【００９５】
図１８（ａ）は、表示画面３１に表示される第１試験画像Ｉｔ１を示す図である。ここで、第１試験画像Ｉｔ１の構成は、１−１前景画像Ｉｆ１１が正三角形状に、１−２前景画像Ｉｆ１２が正方形状に、１−３前景画像Ｉｆ１３が正五角形状に、それぞれ設定されている点を除けば、実施の形態３で説明したものと同じである。
【００９６】
また、図１８（ｂ）は、第１試験画像Ｉｔ１に続いて表示画面３１に表示される第２試験画像Ｉｔ２を示す図である。ここで、第２試験画像Ｉｔ２の構成は、２−１前景画像Ｉｆ２１が菱形状に、２−２前景画像Ｉｆ２２が正六角形状に、２−３前景画像Ｉｆ２３が正八角形状に、それぞれ配置されている点を除けば、実施の形態３で説明したものと同じである。
【００９７】
試験画像Ｉｔとしてこのような構成を採用した場合も、実施の形態１〜３と同様の作用効果を得ることができる。
なお、ここでは、表示画面３１に、第１試験画像Ｉｔ１を表示させた後に第２試験画像Ｉｔ２を表示させるようにしていたが、これに限られるものではなく、表示する順番を逆にしてもよい。また、各前景画像の形状についても、多角形状に限られるものではなく、扇形や自由形状としてもかまわない。
【００９８】
＜実施の形態５＞
本実施の形態の基本構成は、実施の形態３とほぼ同様であるが、試験画像Ｉｔの構成が実施の形態３とは異なる。なお、本実施の形態において、実施の形態３と同様のものについては、同じ符号を付してその詳細な説明を省略する。
【００９９】
図１９は、実施の形態５において、試験画像データに基づいて表示装置３０（表示画面３１）に表示される試験画像Ｉｔの一例を示す図である。
実施の形態３では、第１試験画像Ｉｔ１を構成する複数の第１前景画像Ｉｆ１（１−１前景画像Ｉｆ１１、１−２前景画像Ｉｆ１２および１−３前景画像Ｉｆ１３）、並びに、第２試験画像Ｉｔ２を構成する複数の第２前景画像Ｉｆ２（２−１前景画像Ｉｆ２１、２−２前景画像Ｉｆ２２および２−３前景画像Ｉｆ２３）を、表示画面３１において規則的に並べて表示させるようにしていた。これに対し、本実施の形態では、個々の前景画像Ｉｆを、表示画面３１において不規則に並べて表示させるように設定している。
【０１００】
図１９（ａ）は、表示画面３１に表示される第１試験画像Ｉｔ１を示す図である。ここで、第１試験画像Ｉｔ１の構成は、１−１前景画像Ｉｆ１１、１−２前景画像Ｉｆ１２および１−３前景画像Ｉｆ１３が不規則に配置されている点を除けば、実施の形態３で説明したものと同じである。
【０１０１】
また、図１９（ｂ）は、第１試験画像Ｉｔ１に続いて表示画面３１に表示される第２試験画像Ｉｔ２を示す図である。ここで、第２試験画像Ｉｔ２の構成は、２−１前景画像Ｉｆ２１、２−２前景画像Ｉｆ２２および２−３前景画像Ｉｆ２３が不規則に配置されている点を除けば、実施の形態３で説明したものと同じである。なお、この例においては、第１試験画像Ｉｔ１と第２試験画像Ｉｔ２とにおいて、各前景画像Ｉｆの配置が変更されるようになっている。
【０１０２】
試験画像Ｉｔとしてこのような構成を採用した場合も、実施の形態１と同様の作用効果を得ることができる。また、前景画像Ｉｆを毎回異なる位置に表示させる設定を行うことにより、作業者が思い込みによって画像を識別できたと判断すること（誤判断）を抑制することが可能になる。
なお、ここでは、表示画面３１に、第１試験画像Ｉｔ１を表示させた後に第２試験画像Ｉｔ２を表示させるようにしていたが、これに限られるものではなく、表示する順番を逆にしてもよい。
【０１０３】
＜実施の形態６＞
本実施の形態の基本構成は、実施の形態２とほぼ同様であるが、試験画像Ｉｔの構成が実施の形態２とは異なる。なお、本実施の形態において、実施の形態２と同様のものについては、同じ符号を付してその詳細な説明を省略する。
【０１０４】
図２０は、実施の形態６において、試験画像データに基づいて表示装置３０（表示画面３１）に表示される試験画像Ｉｔの一例を示す図である。
実施の形態２では、第１試験画像Ｉｔ１を構成する第１前景画像Ｉｆ１（１−１前景画像Ｉｆ１１、１−２前景画像Ｉｆ１２および１−３前景画像Ｉｆ１３）を横に並べて配置するとともに、第１前景画像Ｉｆ１の背後に第１背景画像Ｉｂ１を配置し、且つ、第２試験画像Ｉｔ２を構成する第２前景画像Ｉｆ２（２−１前景画像Ｉｆ２１、２−２前景画像Ｉｆ２２および２−３前景画像Ｉｆ２３）を横に並べて配置するとともに、第２前景画像Ｉｆ２の背後に第２背景画像Ｉｂ２を配置するように設定していた。これに対し、本実施の形態では、１−１前景画像Ｉｆ１１、１−２前景画像Ｉｆ１２および１−３前景画像Ｉｆ１３に対して共通に設定されていた第１背景画像Ｉｂ１を、それぞれに対応する１−１背景画像Ｉｂ１１、１−２背景画像Ｉｂ１２および１−３背景画像Ｉｂ１３に分割するとともに、２−１前景画像Ｉｆ２１、２−２前景画像Ｉｆ２２および２−３前景画像Ｉｆ２３に対して共通に設定されていた第２背景画像Ｉｂ２を、それぞれに対応する２−１背景画像Ｉｂ２１、２−２背景画像Ｉｂ２２および２−３背景画像Ｉｂ２３に分割し、表示する毎に各評価画像Ｉｅの配置を異ならせるように設定している。
【０１０５】
図２０（ａ）は、例えば１回目の階調形状特定動作において表示画面３１に表示される試験画像Ｉｔを示す図であり、図２０（ｂ）は、例えば２回目の階調形状特定動作において表示画面３１に表示される試験画像Ｉｔを示す図である。このように、図２０（ａ）および（ｂ）では、試験画像Ｉｔにおける、１−１評価画像Ｉｅ１１〜１−３評価画像Ｉｅ１３および２−１評価画像Ｉｅ２１〜２−３評価画像Ｉｅ２３の表示位置が異なっている。
【０１０６】
試験画像Ｉｔとしてこのような構成を採用した場合も、実施の形態１と同様の作用効果を得ることができる。また、評価画像Ｉｅを毎回異なる位置に表示させる設定を行うことにより、作業者が思い込みによって画像を識別できたと判断すること（誤判断）を抑制することが可能になる。
【０１０７】
＜実施の形態７＞
本実施の形態の基本構成は、実施の形態１とほぼ同様であるが、試験画像Ｉｔの構成が実施の形態１とは異なる。なお、本実施の形態において、実施の形態１と同様のものについては、同じ符号を付してその詳細な説明を省略する。
【０１０８】
図２１は、実施の形態７において、試験画像データに基づいて表示装置３０（表示画面３１）に表示される試験画像Ｉｔの一例を示す図である。
実施の形態１では、第１試験画像Ｉｔ１が、前景画像Ｉｆおよび背景画像Ｉｂを含む評価画像Ｉｅを複数備えることによって構成され、且つ、第２試験画像Ｉｔ２が、前景画像Ｉｆおよび背景画像Ｉｂを含む評価画像Ｉｅを複数備えることによって構成されていた。これに対し、本実施の形態では、第１試験画像Ｉｔ１が、複数の評価画像Ｉｅ（より具体的には１−１評価画像Ｉｅ１１〜１−３評価画像Ｉｅ１３）に加えて、背景画像Ｉｂのみによって構成された第１ダミー画像Ｉｄ１を備えることによって構成されており、第２試験画像Ｉｔ２が、複数の評価画像Ｉｅ（より具体的には２−１評価画像Ｉｅ２１〜２−３評価画像Ｉｅ２３）に加えて、背景画像Ｉｂのみによって構成された第２ダミー画像Ｉｄ２を備えることによって構成されている。
【０１０９】
本実施の形態において、第１試験画像Ｉｔ１を構成する第１ダミー画像Ｉｄ１の階調は、１−１評価画像Ｉｅ１１における１−１背景画像Ｉｂ１１と共通の第１基準階調値Ｇｓ１に設定される。したがって、第１ダミー画像Ｉｄ１の階調は、１−２評価画像Ｉｅ１２における１−２背景画像Ｉｂ１２および１−３評価画像Ｉｅ１３における１−３背景画像Ｉｂ１３の階調と共通となる。
【０１１０】
また、第２試験画像Ｉｔ２を構成する第２ダミー画像Ｉｄ２の階調は、２−１評価画像Ｉｅ２１における２−１背景画像Ｉｂ２１と共通の第２基準階調値Ｇｓ２に設定される。したがって、第２ダミー画像Ｉｄ２の階調は、２−２評価画像Ｉｅ２２における２−２背景画像Ｉｂ２２および２−３評価画像Ｉｅ２３における２−３背景画像Ｉｂ２３の階調と共通となる。
【０１１１】
試験画像Ｉｔとしてこのような構成を採用した場合も、実施の形態１と同様の作用効果を得ることができる。また、第１試験画像Ｉｔ１には第１ダミー画像Ｉｄ１を、第２試験画像Ｉｔ２には第２ダミー画像Ｉｄ２を、それぞれ混在させることにより、作業者による識別の確度を向上させることが可能になる。
【０１１２】
＜実施の形態８＞
本実施の形態の基本構成は、実施の形態１とほぼ同様であるが、評価画像Ｉｅの構成が実施の形態１とは異なる。なお、本実施の形態において、実施の形態１と同様のものについては、同じ符号を付してその詳細な説明を省略する。
【０１１３】
図２２は、実施の形態８における評価画像の形状の構成例を説明するための図である。
ここで、図２２（ａ）は評価画像Ｉｅの全体構成を示した図であり、図２２（ｂ）は評価画像Ｉｅにおいて背景画像Ｉｂおよび前景画像Ｉｆのそれぞれを構成する各種基本画像の構成を示した図である。
【０１１４】
本実施の形態の評価画像Ｉｅは、全体として円形状を呈する背景画像Ｉｂと、中心の位置が背景画像Ｉｂと一致するように背景画像Ｉｂと重ねて配置され、全体として円形状を呈する前景画像Ｉｆとを有している。そして、前景画像Ｉｆは、背景画像Ｉｂによって囲われた状態となっている。
【０１１５】
実施の形態１では、背景画像Ｉｂおよび前景画像Ｉｆを、それぞれ、一定の濃度に塗りつぶしたハーフトーン画像で構成していた。これに対し、本実施の形態では、背景画像Ｉｂおよび前景画像Ｉｆを、それぞれ、複数の基本画像を組み合わせて構成している。
【０１１６】
本実施の形態において、背景画像Ｉｂは、第１の直径を有する第１円画像Ｃ１と、第１の直径よりも大きい第２の直径を有する第２円画像Ｃ２と、第２の直径よりも大きい第３の直径を有する第３円画像Ｃ３と、第３の直径よりも大きく且つ前景画像Ｉｆの半分以下となる第４の直径を有する第４円画像Ｃ４とを含んで構成される。そして、背景画像Ｉｂは、これら第１円画像Ｃ１、第２円画像Ｃ２、第３円画像Ｃ３および第４円画像Ｃ４を不規則に並べることで、全体として円形状（実際には環形状）を呈するようになっている。
【０１１７】
一方、前景画像Ｉｆも、背景画像Ｉｂと同じく、第１円画像Ｃ１、第２円画像Ｃ２、第３円画像Ｃ３および第４円画像Ｃ４を含んで構成される。そして、前景画像Ｉｆは、これら第１円画像Ｃ１、第２円画像Ｃ２、第３円画像Ｃ３および第４円画像Ｃ４を不規則に並べることで、全体として円形状を呈するようになっている。
【０１１８】
図２３は、実施の形態８において、試験画像データに基づいて表示装置に表示される試験画像Ｉｔの一例を説明するための図である。
実施の形態１では、それぞれがハーフトーン画像で構成された背景画像Ｉｂおよび前景画像Ｉｆを含む評価画像Ｉｅ（図９参照）を横３列×縦２列に配置することで、試験画像Ｉｔを形成していた。これに対し、本実施の形態では、複数の基本画像を組み合わせて構成された評価画像Ｉｅ（図２２参照）を、横３列×縦２列に配置することで、試験画像Ｉｔを形成している。なお、第１試験画像Ｉｔ１を構成する１−１評価画像Ｉｅ１１〜１−３評価画像Ｉｅ１３および第２試験画像Ｉｔ２を構成する２−１評価画像Ｉｅ２１〜２−３評価画像Ｉｅ２３において、円形状を呈する基本画像が配置されていない領域（隙間）には、第３試験画像Ｉｔ３が配置される。
【０１１９】
試験画像Ｉｔとしてこのような構成を採用した場合も、実施の形態１と同様の作用効果を得ることができる。また、試験画像Ｉｔを構成する評価画像Ｉｅとして、複数の基本画像を組み合わせたものを採用することにより、作業者による識別の確度を向上させることが可能になる。さらに、このような試験画像Ｉｔを採用することで、表示画面３１の解像度が比較的低い表示装置３０においても、試験画像Ｉｔの表示を良好に行うことできる。さらにまた、このような試験画像Ｉｔを採用することにより、各評価画像Ｉｅにおいて背景画像Ｉｂと前景画像Ｉｆとの明確な境界線が生じなくなることから、作業者による錯覚が生じにくくなり、較正の精度を保ちやすくすることが可能になる。
【０１２０】
なお、本実施の形態では、直径が異なる４種類の基本画像（この例では第１円画像Ｃ１〜第４円画像Ｃ４）を用いて、評価画像Ｉｅ（背景画像Ｉｂおよび前景画像Ｉｆ）を構成するようにしていたが、これに限られるものではなく、少なくとも２種類の基本図形を用いればよい。
また、本実施の形態では、４種類の基本画像を円形状としていたが、これに限られるものではなく、その形状については変更してかまわない。ただし、各基本画像は、相似の関係にあることが必要となる。
【０１２１】
＜実施の形態９＞
本実施の形態の基本構成は、実施の形態１とほぼ同様であるが、基準階調値Ｇｓ（この例では第１基準階調値Ｇｓ１および第２基準階調値Ｇｓ２）の決定手法が実施の形態１とは異なる。なお、本実施の形態において、実施の形態１と同様のものについては、同じ符号を付してその詳細な説明を省略する。
【０１２２】
本実施の形態では、表示装置３０における表示の目標となる目標階調特性を決定した後、決定された目標階調特性に基づいて目標階調特性に対応する比較階調特性を決定し、決定された目標階調特性と比較階調特性とに基づいて、基準階調値Ｇｓ（この例では第１基準階調値Ｇｓ１および第２基準階調値Ｇｓ２）を決定する。
【０１２３】
図２４は、実施の形態９における、基準階調値Ｇｓの決定手法を説明するための図である。
ここで、図２４（ａ）は基準階調値Ｇｓの決定において最初に行われる目標階調特性および比較階調特性の決定手法を説明するためのグラフ図である。また、図２４（ｂ）は、目標階調特性および比較階調特性の決定に続いて行われる基準階調値の決定手法を説明するためのグラフ図である。なお、図２４（ａ）において、横軸は階調値（０〜２５５）であり、縦軸は階調値が２５５のときの輝度で全体の輝度を規格化した相対輝度である。また、図２４（ｂ）において、横軸は階調値（０〜２５５）であり、縦軸は図２４（ａ）に示す相対輝度の傾き（微分結果）である。
【０１２４】
まず、図２４（ａ）を参照しつつ、目標階調特性および比較階調特性の決定手法について説明を行う。
【０１２５】
本実施の形態では、目標階調特性を設定するにあたり、まず、目標とする階調特性の設定を行う。なお、ここでは、目標とする階調特性の表現手法として、ガンマ値を用いている。この例では、目標とするガンマ値が２．２に設定されるものとする。なお、目標とするガンマ値については、２．２以外に、例えば１．８とすることもできる。
【０１２６】
また、本実施の形態では、目標とするガンマ値が決定された後、この目標とするガンマ値に近い値から比較対象となるガンマ値を決定する。ここで、比較対象となるガンマ値は、単数であってもよいし複数であってもよい。ただし、比較対象となるガンマ値を２つ設定する場合は、一方を目標とするガンマ値よりも小さい値から選択し、他方を目標とするガンマ値よりも大きい値から選択するとよい。この例では、比較対象となるガンマ値が２つ設定されるものとし、第１の比較対象となる一方のガンマ値が１．８に、第２の比較対象となる他方のガンマ値が２．６に、それぞれ設定されるものとする。
【０１２７】
ここで、図２４（ａ）は、各ガンマ値（１．８、２．２、２．６）に対応するガンマカーブを示している。図２４（ａ）から明らかなように、ガンマ値によってガンマカーブの形状は異なり、ガンマ値が大きいほど、ガンマカーブの形状が下側に凸となる。
【０１２８】
次に、図２４（ｂ）を参照しつつ、目標階調特性および比較階調特性の両者に基づく基準階調値Ｇｓ（この例では第１基準階調値Ｇｓ１および第２基準階調値Ｇｓ２）の決定手法について説明を行う。
【０１２９】
本実施の形態では、図２４（ａ）に示す目標階調特性（ガンマ値＝２．２）および２つの比較階調特性（ガンマ値＝１．８および２．６）に対して微分を行い、これら各階調特性の傾きを得る。そして、得られた結果に基づき、基準階調特性の傾きに対する目標階調特性の傾きの大小関係が逆転する階調値（境界階調値と呼ぶ）を得る。なお、この例においては、境界階調値が１７０程度となっている。
【０１３０】
そして、得られた境界階調値よりも階調が高い高階調領域Ａから第１基準階調値Ｇｓ１を選択し、得られた境界階調値よりも階調が低い低階調領域Ｂから第２基準階調値Ｇｓ２を選択する。これにより、全階調（２５６階調）のうち、階調値のずれが生じやすい高階調領域Ａおよび低階調領域Ｂから、基準階調値Ｇｓを構成する複数の値を選ぶことができる。
【０１３１】
なお、各実施の形態では、試験画像データの作成を、画像表示システム１０に設けられたコンピュータ装置２０で実行するようにしていたが、これに限られるものではなく、画像表示システム１０の外部に設けられた他のコンピュータ装置等で実行するようにしてもかまわない。
【０１３２】
また、各実施の形態では、コンピュータ装置２０内に設けられた表示画像作成部２２において階調補正を行うようにしていたが、これに限られるものではなく、例えば表示装置３０の内部で階調補正を行うようにしてもかまわない。
【符号の説明】
【０１３３】
１０…画像表示システム、２０…コンピュータ装置、２１…試験画像データ作成部、２２…表示画像作成部、２３…階調形状特定部、２４…記憶部、３０…表示装置、３１…表示画面、４０…入力装置、２１１…基準階調値設定部、２１２…比較階調値設定部、２１３…画像形状設定部、２１４…画像配置設定部、２１５…試験画像生成部、２３１…判別用テーブル作成部、２３２…階調形状判別部
【図１】
2014220556.tif 000003
【図２】
2014220556.tif 000004
【図３】
2014220556.tif 000005
【図４】
2014220556.tif 000006
【図５】
2014220556.tif 000007
【図６】
2014220556.tif 000008
【図７】
2014220556.tif 000009
【図８】
2014220556.tif 000010
【図９】
2014220556.tif 000011
【図１０】
2014220556.tif 000012
【図１１】
2014220556.tif 000013
【図１２】
2014220556.tif 000014
【図１３】
2014220556.tif 000015
【図１５】
2014220556.tif 000016
【図１６】
2014220556.tif 000017
【図１７】
2014220556.tif 000018
【図１８】
2014220556.tif 000019
【図１９】
2014220556.tif 000020
【図２０】
2014220556.tif 000021
【図２１】
2014220556.tif 000022
【図２４】
2014220556.tif 000023
【図１４】
2014220556.tif 000024
【図２２】
2014220556.tif 000025
【図２３】
2014220556.tif 000026